(57)【要約】【課題】矩形のタッチ感知領域を備える電子装置を提供する。【解決手段】電子装置は、入力インターフェイスと、コントローラと、プロセッサとを含む。入力インターフェイスは第一タッチ感知領域と、第二タッチ感知領域と、第三タッチ感知領域とを含む。第一タッチ感知領域は、放射状アレイ方式で設けられた複数のタッチパッドを含む。第二タッチ感知領域と第三タッチ感知領域は第一タッチ感知領域の両側に隣接し、マトリックス方式で設けられた複数のタッチパッドを含む。コントローラは入力インターフェイスの各タッチパッドに電気的に結合され、入力インターフェイスにかけるユーザー入力を検出し、当該ユーザー入力に対応する複数の感知信号を生成する。プロセッサはコントローラに電気的に結合され、前記複数の感知信号に基づいて対応する機能を実行する。【選択図】図２
0003148020.tif 000002
【実用新案登録請求の範囲】
【請求項１】
電子装置であって、
情報を表示する表示装置と、
前記表示装置に隣接した入力インターフェイスと、
前記入力インターフェイスの各タッチパッドに電気的に結合され、入力インターフェイスにかけるユーザー入力を検出し、当該ユーザー入力に対応する複数の感知信号を生成するコントローラと、
前記コントローラに電気的に結合され、前記複数の感知信号に基づいて対応する機能を実行するプロセッサとを含み、
前記入力インターフェイスは、
放射状アレイ方式で設けられた複数のタッチパッドを含む第一タッチ感知領域と、
前記第一タッチ感知領域の一側に隣接し、マトリックス方式で設けられた複数のタッチパッドを含む第二タッチ感知領域と、
前記第一タッチ感知領域の他側に隣接し、マトリックス方式で設けられた複数のタッチパッドを含む第三タッチ感知領域とを含み、前記第一タッチ感知領域は第二タッチ感知領域と第三タッチ感知領域の間に設けられる、電子装置。
【請求項２】
前記マトリックスは格子状マトリックスである、請求項１に記載の電子装置。
【請求項３】
前記第一タッチ感知領域において隣り合ったいずれか２枚のタッチパッドは鋸歯状で噛合している、請求項１に記載の電子装置。
【請求項４】
前記第一タッチ感知領域は中央領域を囲む、請求項１に記載の電子装置。
【請求項５】
前記中央領域には更に中央タッチパッドが設けられ、当該中央タッチパッドは前記コントローラに電気的に結合されている、請求項４に記載の電子装置。
【請求項６】
前記入力インターフェイスは更に、前記中央タッチパッドの下方に前記プロセッサに電気的に結合されるように設けられ、前記中央タッチパッドにかける押圧を検出し、押圧に対応する電子信号を生成するスイッチを含む、請求項５に記載の電子装置。
【請求項７】
前記電子装置は携帯型電子装置であって、前記第一タッチ感知領域と、第二タッチ感知領域と、第三タッチ感知領域の全体的な幅は前記表示装置の幅とほぼ同じである、請求項１に記載の電子装置。
【請求項８】
前記第一タッチ感知領域と、第二タッチ感知領域と、第三タッチ感知領域は全体的に矩形を呈する、請求項７に記載の電子装置。
【請求項９】
前記第一タッチ感知領域と、第二タッチ感知領域と、第三タッチ感知領域における各タッチパッドは容量式のタッチパッドである、請求項１に記載の電子装置。
【請求項１０】
電子装置に用いられる入力インターフェイスであって、
放射状アレイ方式で中央タッチパッドを囲むように設けられた複数のタッチパッドと、中央タッチパッドとを含む第一タッチ感知領域と、
前記第一タッチ感知領域の一側に隣接し、マトリックス方式で設けられた複数のタッチパッドを含む第二タッチ感知領域と、
前記第一タッチ感知領域の他側に隣接し、マトリックス方式で設けられた複数のタッチパッドを含む第三タッチ感知領域とを含み、前記第一タッチ感知領域は第二タッチ感知領域と第三タッチ感知領域の間に設けられる、入力インターフェイス。
【請求項１１】
前記マトリックスは格子状マトリックスである、請求項１０に記載の入力インターフェイス。
【請求項１２】
前記第一タッチ感知領域において隣り合ったいずれか２枚のタッチパッドは鋸歯状で噛合している、請求項１０に記載の入力インターフェイス。
【請求項１３】
前記第一タッチ感知領域と、第二タッチ感知領域と、第三タッチ感知領域は全体的に矩形を呈する、請求項１０に記載の入力インターフェイス。
【請求項１４】
前記第一タッチ感知領域と、第二タッチ感知領域と、第三タッチ感知領域における各タッチパッドは容量式のタッチパッドである、請求項１０に記載の入力インターフェイス。
【考案の詳細な説明】
【技術分野】
【０００１】
本考案は電子装置に関し、特にタッチ感知領域を備える電子装置に関する。
【背景技術】
【０００２】
従来の携帯型電子装置のタッチパネル（感知領域）は一般に、アーク状のユーザー入力を受信するためにドーナツ型にされている。図１を参照する。図１はユーザーの指の移動による携帯型電子装置（例えばマルチメディアプレイヤー）の操作を表す説明図である。しかし、タッチパネルを見つめながら指を移動しないと、指がタッチパネルからずれやすく、所望どおりに携帯型電子装置を操作することが難しい。
【考案の開示】
【考案が解決しようとする課題】
【０００３】
本考案の目的は、前掲問題を解決するために、矩形のタッチ感知領域を備える電子装置を提供することにある。
【課題を解決するための手段】
【０００４】
本考案では電子装置を開示する。当該電子装置は、情報を表示する表示装置と、前記表示装置に隣接した入力インターフェイスと、前記入力インターフェイスの各タッチパッドに電気的に結合され、入力インターフェイスにかけるユーザー入力を検出し、当該ユーザー入力に対応する複数の感知信号を生成するコントローラと、前記コントローラに電気的に結合され、前記複数の感知信号に基づいて対応する機能を実行するプロセッサとを含む。前記入力インターフェイスは、放射状アレイ方式で設けられた複数のタッチパッドを含む第一タッチ感知領域と、前記第一タッチ感知領域の一側に隣接し、マトリックス方式で設けられた複数のタッチパッドを含む第二タッチ感知領域と、前記第一タッチ感知領域の他側に隣接し、マトリックス方式で設けられた複数のタッチパッドを含む第三タッチ感知領域とを含む。前記第一タッチ感知領域は第二タッチ感知領域と第三タッチ感知領域の間に設けられている。
【０００５】
本考案では更に、電子装置に用いられる入力インターフェイスを開示する。当該入力インターフェイスは、放射状アレイ方式で中央タッチパッドを囲むように設けられた複数のタッチパッドと、中央タッチパッドとを含む第一タッチ感知領域と、前記第一タッチ感知領域の一側に隣接し、マトリックス方式で設けられた複数のタッチパッドを含む第二タッチ感知領域と、前記第一タッチ感知領域の他側に隣接し、マトリックス方式で設けられた複数のタッチパッドを含む第三タッチ感知領域とを含む。前記第一タッチ感知領域は第二タッチ感知領域と第三タッチ感知領域の間に設けられている。
【考案を実施するための最良の形態】
【０００６】
かかる装置の特徴を詳述するために、具体的な実施例を挙げ、図示を参照して以下に説明する。
【０００７】
本明細書及び特許請求の範囲では特定の素子に特定の用語を使用する。当業者に理解できるように、メーカーにより他用語で同一の装置を呼ぶことが可能である。したがって、本明細書及び特許請求の範囲は用語で装置を区別するのでなく、専ら機能上の相違を区別の基準とする。なお、本明細書及び特許請求の範囲に用いる「含む」という文言は限定的に捉えるべきでなく、「含むがそれに限らない」と解すべきである。また、「結合」とはあらゆる直接的または間接的な電気的接続手段をいう。したがって、第一装置が第二装置に結合されるとは、第一装置が第二装置に直接に電気的に接続されるか、または他装置を介して第二装置に電気的に接続されることを意味する。
【０００８】
図２を参照する。図２は本考案の実施例による電子装置２００の外観を表す説明図である。電子装置２００は、情報を表示する表示装置２１０と、表示装置２１０に隣接する入力インターフェイス２２０とを含む。入力インターフェイス２２０は第一タッチ感知領域２３０と、第二タッチ感知領域２４０と、第三タッチ感知領域２５０とを含む。第一タッチ感知領域２３０は第二タッチ感知領域２４０と第三タッチ感知領域２５０の間に、中央領域２６０を囲むように設けられている。第二タッチ感知領域２４０と第三タッチ感知領域２５０はいずれも第一タッチ感知領域２３０に隣接しており、言い換えればそれぞれ第一タッチ感知領域２３０の両側に隣接している。第一タッチ感知領域２３０と、第二タッチ感知領域２４０と、第三タッチ感知領域２５０は全体的に矩形を呈し、その全体的な幅は表示装置２１０の幅とほぼ同じである。
【０００９】
図３を参照する。図３は図２に示す入力インターフェイス２２０を表す説明図である。図３に示すように、第一タッチ感知領域２３０は矩形を呈し、独立した複数のタッチパッド２３１、２３２、２３３、２３４、２３５を含む。第二タッチ感知領域２４０は矩形を呈し、独立した複数のタッチパッド２４１、２４２、２４３、２４４、２４５、２４６、２４７、２４８、２４９を含む。第三タッチ感知領域２５０は矩形を呈し、独立した複数のタッチパッド２５１、２５２、２５３、２５４、２５５、２５６、２５７、２５８、２５９を含む。中央領域２６０には更に中央タッチパッド２６１が設けられている。また、第二タッチ感知領域２４０、第三タッチ感知領域２５０、及び中央タッチパッド２６１の下方にはそれぞれメタルドームスイッチ２９４、２９５、２９６が設けられている。メタルドームスイッチ２９４、２９５、２９６はそれぞれ第二タッチ感知領域２４０と、第三タッチ感知領域２５０と、中央タッチパッド２６１とにかける押圧を検出し、押圧に対応する電子信号を生成する。
【００１０】
図４を参照する。図４は図２に示す電子装置２００のブロック図である。図４に示すように、電子装置２００は更にコントローラ２７０とプロセッサ２８０とを含む。入力インターフェイス２２０はユーザー入力を受信し、コントローラ２７０は入力インターフェイス２２０の各タッチパッド２３１〜２３５、２４１〜２４９、２５１〜２５９、２６１（図４ではその間の接続関係が図示されない）に電気的に結合され、入力インターフェイス２２０にかけるユーザー入力を検出し、ユーザー入力にそれぞれ対応する複数の感知信号を生成する。プロセッサ２８０はコントローラ２７０、表示装置２１０、及びメタルドームスイッチ２９４、２９５、２９６に電気的に結合され、コントローラ２７０により生成された複数の感知信号、またはメタルドームスイッチ２９４、２９５、２９６が押圧を受けて生成した電子信号に基づいて、対応する機能を実行する。
【００１１】
次に電子装置２００について詳述する。本実施例では、電子装置２００はＰＤＡ（パーソナルデジタルアシスタント）である。もっともこれは単なる一例に過ぎず、本考案を限定するものではない。本考案の他実施例において、電子装置は携帯型通信装置（例えば携帯電話）またはマルチメディアプレイヤーであってもよい。
【００１２】
図４を再び参照する。図４に示すように、複数のタッチパッド２３１〜２３５は放射状アレイ方式で第一タッチ感知領域２３０に設けられている。複数のタッチパッド２４１〜２４９は格子状マトリックス方式で第二タッチ感知領域２３０に設けられている。複数のタッチパッド２５１〜２５９は格子状マトリックス方式で第三タッチ感知領域２５０に設けられている。前記タッチパッドの配置方式により、入力インターフェイス２２０は図５に示すような回転運動（ｗｈｅｅｌｉｎｇ  ｍｏｔｉｏｎ）のユーザー入力を（第一タッチ感知領域２３０から）受信するのみならず、図６に示すような直線運動（ｐａｎｎｉｎｇ  ｍｏｔｉｏｎ）のユーザー入力を（第一、第二または第三タッチ感知領域２３０、２４０、２５０から）受信することができる。
【００１３】
注意すべきは、前掲実施例では、中央領域２６０はタッチパッド２６１を含む。もっとも、これは本考案を限定するものではない。本考案の他実施例では、中央領域２６１にタッチパッドを一切設置しないことも可能である。このような設計も本考案の範囲に属する。
【００１４】
また注意すべきは、本実施例では、第一タッチ感知領域２３０の感度を向上させるために、第一タッチ感知領域２３０において隣り合ったいずれか２枚のタッチパッド（例えばタッチパッド２３１と２３２）は鋸歯状で噛合している。しかし、これは本考案を限定するものではない。
【００１５】
更に注意すべきは、前掲実施例では、入力インターフェイス２２０の各タッチパッド２３１〜２３５、２４１〜２４９、２５１〜２５９、２６２はいずれも容量式のタッチパッドである。もっとも、これは本考案を説明するために用いるものに過ぎず、本考案を限定するものではない。本考案の他実施例では、入力インターフェイス２２０のタッチパッドとしてインダクタンス式もしくは抵抗式のもの、または容量式、インダクタンス式もしくは抵抗式タッチパッドの任意の組み合わせを利用することができる。
【００１６】
従来の技術に比べて、本考案による電子装置は矩形のタッチ感知領域（例えば第一タッチ感知領域２３０）で回転運動のユーザー入力を受信するので、タッチ感知領域を見つめながら操作しなくても指がタッチ感知領域からずれることなく、電子装置を正確に操作することが容易になる。また、本考案による電子装置は更に、格子状マトリックス方式で設けられた複数のタッチパッドからなるタッチ感知領域（例えば第二タッチ感知領域２４０と第三タッチ感知領域２５０）を含むので、直線運動のユーザー入力も受信できる。なお、本考案による電子装置の第二タッチ感知領域２４０と、第三タッチ感知領域２５０と、中央タッチパッド２６１の下方にはそれぞれメタルドームスイッチ２９４、２９５、２９６が設けられているので、本考案による電子装置は押圧によるユーザー入力も受信することができる。
【００１７】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の特許請求の範囲に属するものとする。
【図面の簡単な説明】
【００１８】
【図１】ユーザーの指の移動による携帯型電子装置の操作を表す説明図である。
【図２】本考案の実施例による電子装置の外観を表す説明図である。
【図３】図２に示す入力インターフェイスを表す説明図である。
【図４】図２に示す電子装置のブロック図である。
【図５】図２に示す入力インターフェイスによる回転運動のユーザー入力の受信を表す説明図である。
【図６】図２に示す入力インターフェイスによる直線運動のユーザー入力の受信を表す説明図である。
【符号の説明】
【００１９】
２００      電子装置
２１０      表示装置
２２０      入力インターフェイス
２３０、２４０、２５０ タッチ感知領域
２３１、２３２、２３３、      タッチパッド
２３４、２３５、２４１、
２４２、２４３、２４４、
２４５、２４６、２４７、
２４８、２４９、２５１、
２５２、２５３、２５４、
２５５、２５６、２５７、
２５８、２５９、２６１
２６０      中央領域
２７０      コントローラ
２８０      プロセッサ
２９４、２９５、２９６      メタルドームスイッチ
【図１】
0003148020.tif 000003
【図２】
0003148020.tif 000004
【図３】
0003148020.tif 000005
【図４】
0003148020.tif 000006
【図５】
0003148020.tif 000007
【図６】
0003148020.tif 000008